(57)【特許請求の範囲】
【請求項１】
上位ノードと無線基地局との間で制御信号用コネクションを確立する移動通信方法であって、
前記上位ノードが、第１無線基地局との間で制御信号用コネクションが確立されていないことを検知した場合、該第１無線基地局に対して第１制御信号用コネクション確立要求を送信する工程と、
送信された前記第１制御信号用コネクション確立要求によって、前記上位ノードと前記第１無線基地局との間で第１制御信号用コネクションを確立する工程と、
第２無線基地局が、上位ノードとの間で制御信号用コネクションが確立されていないことを検知した場合、該上位ノードに対して第２制御信号用コネクション確立要求を送信する工程と、
送信された前記第２制御信号用コネクション確立要求によって、前記上位ノードと前記第２無線基地局との間で第２制御信号用コネクションを確立する工程とを有し、
前記上位ノードが、前記第２無線基地局に対して前記第２制御信号用コネクション確立要求を送信しないことを特徴とする移動通信方法。
【請求項２】
前記上位ノードが、前記第１制御信号コネクションを介して、前記第１無線基地局に対して、該第１無線基地局を監視するための第１監視信号を送信する工程と、
前記上位ノードが、前記第２制御信号コネクションを介して、前記第２無線基地局に対して、該第２無線基地局を監視するための第２監視信号を送信する工程とを有し、
所定期間において、前記第１監視信号が送信される回数は、前記第２監視信号が送信される回数よりも多いことを特徴とする請求項１に記載の移動通信方法。
【請求項３】
上位ノードと無線基地局との間で制御信号用コネクションを確立するように構成されている移動通信システムであって、
前記上位ノードは、第１無線基地局との間で制御信号用コネクションが確立されていないことを検知した場合、該第１無線基地局に対して第１制御信号用コネクション確立要求を送信するように構成されており、
送信された前記第１制御信号用コネクション確立要求によって、前記上位ノードと前記第１無線基地局との間で第１制御信号用コネクションを確立するように構成されており、
第２無線基地局は、上位ノードとの間で制御信号用コネクションが確立されていないことを検知した場合、該上位ノードに対して第２制御信号用コネクション確立要求を送信するように構成されており、
送信された前記第２制御信号用コネクション確立要求によって、前記上位ノードと前記第２無線基地局との間で第２制御信号用コネクションを確立するように構成されており、
前記上位ノードは、前記第２無線基地局に対して前記第２制御信号用コネクション確立要求を送信しないように構成されていることを特徴とする移動通信システム。
【請求項４】
前記上位ノードは、前記第１制御信号コネクションを介して、前記第１無線基地局に対して、該第１無線基地局を監視するための第１監視信号を送信するように構成されており、
前記上位ノードは、前記第２制御信号コネクションを介して、前記第２無線基地局に対して、該第２無線基地局を監視するための第２監視信号を送信するように構成されており、
所定期間において、前記第１監視信号が送信される回数は、前記第２監視信号が送信される回数よりも多いように構成されていることを特徴とする請求項３に記載の移動通信システム。
【発明の詳細な説明】
【技術分野】
【０００１】
本発明は、上位ノードと無線基地局との間で制御信号用コネクションを確立する移動通信方法及び移動通信システムに関する。
【背景技術】
【０００２】
３ＧＰＰでは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）方式の移動通信システムで用いられるホーム基地局（第２無線基地局）Ｈｏｍｅ  ＮｏｄｅＢの仕様について検討されている（非特許文献１乃至５）。
【０００３】
図５に、ＵＴＲＡＮ方式の移動通信システムの構成について示す。図５に示すように、ＵＴＲＡＮ方式の移動通信システムは、コアネットワーク装置ＣＮと、無線制御装置ＲＮＣと、マクロ無線基地局（第１無線基地局）ＮｏｄｅＢと、ホーム無線基地局（第２無線基地局）Ｈｏｍｅ  ＮｏｄｅＢとを具備している。
【０００４】
ここで、マクロ無線基地局ＮｏｄｅＢは、通信事業者等によって設置されている通常の無線基地局であり、ホーム無線基地局Ｈｏｍｅ  ＮｏｄｅＢは、一般ユーザや通信事業者等によって屋内等に設置されている小型の無線基地局（フェムト無線基地局ともいう）である。
【０００５】
なお、ＵＴＲＡＮ方式の移動通信システムでは、ユーザ信号は、マクロ無線基地局ＮｏｄｅＢ又はホーム無線基地局Ｈｏｍｅ  ＮｏｄｅＢと無線制御装置ＲＮＣとの間のＵプレーンインタフェース及び無線制御装置ＲＮＣとコアネットワーク装置ＣＮとの間のＵプレーンインターフェイスを介して送受信されるように構成されている。
【０００６】
一方、ＵＴＲＡＮ方式の移動通信システムでは、制御信号は、マクロ無線基地局ＮｏｄｅＢ又はホーム無線基地局Ｈｏｍｅ  ＮｏｄｅＢと無線制御装置ＲＮＣとの間のＣプレーンインターフェイス及び無線制御装置ＲＮＣとコアネットワーク装置ＣＮとの間のＣプレーンインターフェイスを介して送受信されるように構成されている。
【０００７】
また、図６及び図７に、ＨＳＰＡ（Ｈｉｇｈ  Ｓｐｅｅｄ  Ｐａｃｋｅｔ  Ａｃｃｅｓｓ）が採用されている２種類のＵＴＲＡＮ方式の移動通信システムの構成について示す。
【０００８】
図６に示すように、かかる第１種ＵＴＲＡＮ方式の移動通信システムは、コアネットワーク装置ＣＮと、無線制御装置ＲＮＣと、マクロ無線基地局（第１無線基地局）ＮｏｄｅＢと、Ｈｏｍｅ  ＮｏｄｅＢ（第２無線基地局）とを具備している。
【０００９】
また、図７に示すように、かかる第２種ＵＴＲＡＮ方式の移動通信システムは、コアネットワーク装置ＣＮと、マクロ無線基地局（第１無線基地局）ＮｏｄｅＢと、ホーム無線基地局（第２無線基地局）Ｈｏｍｅ  ＮｏｄｅＢとを具備している。
【００１０】
すなわち、かかる第1種ＵＴＲＡＮ方式の移動通信システムは、無線制御装置ＲＮＣの機能の一部（Ｕプレーン機能）が、マクロ無線基地局ＮｏｄｅＢ及びホーム無線基地局Ｈｏｍｅ  ＮｏｄｅＢに移行するように構成されている。
【００１１】
また、かかる第２種ＵＴＲＡＮ方式の移動通信システムでは、無線制御装置ＲＮＣの全機能が、マクロ無線基地局ＮｏｄｅＢ及びホーム無線基地局Ｈｏｍｅ  ＮｏｄｅＢに移行するように構成されている。
【００１２】
なお、かかる第１種ＵＴＲＡＮ方式の移動通信システムでは、ユーザ信号は、マクロ無線基地局ＮｏｄｅＢ又はホーム無線基地局Ｈｏｍｅ  ＮｏｄｅＢとコアネットワーク装置ＣＮとの間のＵプレーンインターフェイスを介して送受信され、制御信号は、マクロ無線基地局ＮｏｄｅＢ又はホーム無線基地局Ｈｏｍｅ  ＮｏｄｅＢと無線制御装置ＲＮＣとの間のＣプレーンインターフェイス及び無線制御装置ＲＮＣとコアネットワーク装置ＣＮとの間のＣプレーンインターフェイスを介して送受信されるように構成されている。
【００１３】
また、かかる第２種ＵＴＲＡＮ方式の移動通信システムでは、ユーザ信号は、マクロ無線基地局ＮｏｄｅＢ又はホーム無線基地局Ｈｏｍｅ  ＮｏｄｅＢとコアネットワーク装置ＣＮとの間のＵプレーンインターフェイスを介して送受信され、制御信号は、マクロ無線基地局ＮｏｄｅＢ又はホーム無線基地局Ｈｏｍｅ  ＮｏｄｅＢとコアネットワーク装置ＣＮとの間のＣプレーンインターフェイスを介して送受信されるように構成されている。
【００１４】
図８に、無線基地局Ｈｏｍｅ  ＮｏｄｅＢ/ＮｏｄｅＢと上位ノード（無線制御装置ＲＮＣ又はコアネットワーク装置ＣＮ）との間のＣプレーンインターフェイスに係るプロトコルスタックを示す。
【００１５】
図８に示すように、かかるＣプレーンインターフェイスで用いられるプロトコルとして、ＴＮＬ（Ｔｒａｎｓｐｏｒｔ  Ｎｅｔｗｏｒｋ  Ｌａｙｅｒ）及びＲＮＬ（Ｒａｄｉｏ  Ｎｅｔｗｏｒｋ  Ｌａｙｅｒ）が規定されている。
【００１６】
ここで、ＵＴＲＡＮ方式の移動通信システムでは、上位ノード（例えば、無線制御装置ＲＮＣ）からの要求によって、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）コネクション（制御信号用コネクション）が確立されるように構成されている。
【非特許文献１】３ＧＰＰ  ＴＳ３６.４１２
【非特許文献２】３ＧＰＰ  ＴＳ３６.４２２
【非特許文献３】３ＧＰＰ  ＴＳ２５.４１２
【非特許文献４】３ＧＰＰ  ＴＳ２５.４２２
【非特許文献５】３ＧＰＰ  ＴＳ２５.４３２
【非特許文献６】ＲＦＣ４９６０、「ＳＴＲＥＡＭ  ＣＯＮＴＲＯＬ  ＴＲＡＮＳＭＩＳＳＩＯＮ  ＰＲＯＴＯＣＯＬ」
【発明の開示】
【発明が解決しようとする課題】
【００１７】
上位ノードは、図９に示すように、ホーム無線基地局Ｈｏｍｅ  ＮｏｄｅＢ或いはマクロ無線基地局ＮｏｄｅＢとの間で、ＳＣＴＰコネクション（制御信号用コネクション）が確立されていないことを検知した場合には、ＳＣＴＰの「ＩＮＩＴ（制御信号用コネクション確立要求）」を、ホーム無線基地局Ｈｏｍｅ  ＮｏｄｅＢ或いはマクロ無線基地局ＮｏｄｅＢに送信するように構成されている。
【００１８】
しかしながら、ホーム無線基地局Ｈｏｍｅ  ＮｏｄｅＢは、屋内等に設置されている小型の無線基地局である。一般ユーザは、ホーム無線基地局Ｈｏｍｅ  ＮｏｄｅＢを自身で設置することができ、また、自由に、ホーム無線基地局Ｈｏｍｅ  ＮｏｄｅＢの電源をオンにしたりオフにしたりすることができる。
【００１９】
したがって、一般ユーザによってホーム無線基地局Ｈｏｍｅ  ＮｏｄｅＢが設置されている場合で、一般ユーザによってホーム無線基地局Ｈｏｍｅ  ＮｏｄｅＢの電源がオフにされている場合には、無駄であるにも関らず、上位ノードは、ＳＣＴＰの「ＩＮＩＴ（制御信号用コネクション確立要求）」を繰り返し送信してしまい、処理負荷が増大してしまうという問題点があった。
【００２０】
そこで、本発明は、上述の課題に鑑みてなされたものであり、ホーム無線基地局Ｈｏｍｅ  ＮｏｄｅＢとマクロ無線基地局ＮｏｄｅＢとで、ＳＣＴＰコネクションの確立方法を切り替えることによって、上位ノードにおける処理負荷の無駄な増加を回避しつつ、効率的に、ＳＣＴＰコネクションを確立することができる移動通信方法及び移動通信システムを提供することを目的とする。
【課題を解決するための手段】
【００２１】
本発明の第１の特徴は、上位ノードと無線基地局との間で制御信号用コネクションを確立する移動通信方法であって、前記上位ノードが、第１無線基地局との間で制御信号用コネクションが確立されていないことを検知した場合、該第１無線基地局に対して第１制御信号用コネクション確立要求を送信する工程と、送信された前記第１制御信号用コネクション確立要求によって、前記上位ノードと前記第１無線基地局との間で第１制御信号用コネクションを確立する工程と、第２無線基地局が、上位ノードとの間で制御信号用コネクションが確立されていないことを検知した場合、該上位ノードに対して第２制御信号用コネクション確立要求を送信する工程と、送信された前記第２制御信号用コネクション確立要求によって、前記上位ノードと前記第２無線基地局との間で第２制御信号用コネクションを確立する工程とを有し、前記上位ノードが、前記第２無線基地局との間で制御信号用コネクションが確立されていないことを検知した場合であっても、該第２無線基地局に対して前記第２制御信号用コネクション確立要求を送信しないことを要旨とする。
【００２２】
本発明の第１の特徴において、前記上位ノードが、前記第１制御信号コネクションを介して、前記第１無線基地局に対して、該第１無線基地局を監視するための第１監視信号を送信する工程と、前記上位ノードが、前記第２制御信号コネクションを介して、前記第２無線基地局に対して、該第２無線基地局を監視するための第２監視信号を送信する工程とを有し、所定期間において、前記第１監視信号が送信される回数は、前記第２監視信号が送信される回数よりも多くてもよい。
【００２３】
本発明の第２の特徴は、上位ノードと無線基地局との間で制御信号用コネクションを確立するように構成されている移動通信システムであって、前記上位ノードは、第１無線基地局との間で制御信号用コネクションが確立されていないことを検知した場合、該第１無線基地局に対して第１制御信号用コネクション確立要求を送信するように構成されており、送信された前記第１制御信号用コネクション確立要求によって、前記上位ノードと前記第１無線基地局との間で第１制御信号用コネクションを確立するように構成されており、第２無線基地局は、上位ノードとの間で制御信号用コネクションが確立されていないことを検知した場合、該上位ノードに対して第２制御信号用コネクション確立要求を送信するように構成されており、送信された前記第２制御信号用コネクション確立要求によって、前記上位ノードと前記第２無線基地局との間で第２制御信号用コネクションを確立するように構成されており、前記上位ノードは、前記第２無線基地局との間で制御信号用コネクションが確立されていないことを検知した場合であっても、該第２無線基地局に対して前記第２制御信号用コネクション確立要求を送信しないように構成されていることを要旨とする。
【００２４】
本発明の第２の特徴において、前記上位ノードは、前記第１制御信号コネクションを介して、前記第１無線基地局に対して、該第１無線基地局を監視するための第１監視信号を送信するように構成されており、前記上位ノードは、前記第２制御信号コネクションを介して、前記第２無線基地局に対して、該第２無線基地局を監視するための第２監視信号を送信するように構成されており、所定期間において、前記第１監視信号が送信される回数は、前記第２監視信号が送信される回数よりも多いように構成されていてもよい。
【発明の効果】
【００２５】
以上説明したように、本発明によれば、ホーム無線基地局Ｈｏｍｅ  ＮｏｄｅＢとマクロ無線基地局ＮｏｄｅＢとで、ＳＣＴＰコネクションの確立方法を切り替えることによって、上位ノードにおける処理負荷の無駄な増加を回避しつつ、効率的に、ＳＣＴＰコネクションを確立することができる移動通信方法及び移動通信システムを提供することができる。
【発明を実施するための最良の形態】
【００２６】
（本発明の第１の実施形態に係る移動通信システムの構成）
図１乃至図３を参照して、本発明の第１の実施形態に係る移動通信システムの構成について説明する。
【００２７】
なお、本発明の第１の実施形態に係る移動通信システムは、図５或いは図６に示す構成を具備するものとする。
【００２８】
図１に示すように、本実施形態に係る上位ノード（無線制御装置ＲＮＣ又はコアネットワーク装置ＣＮ）は、無線基地局情報管理部１１と、ＳＣＴＰコネクション監視部１２と、ＳＣＴＰコネクション確立部１３とを具備している。
【００２９】
無線基地局情報管理部１１は、当該上位ノード配下の無線基地局に係る情報を管理するように構成されている。
【００３０】
例えば、無線基地局情報管理部１１は、各無線基地局が、「マクロ無線基地局ＮｏｄｅＢ」或いは「ホーム無線基地局  Ｈｏｍｅ  ＮｏｄｅＢ」のいずれであるのかについて管理するように構成されている。
【００３１】
ＳＣＴＰコネクション監視部１２は、ＳＣＴＰコネクション（第１制御信号コネクション）を介して、マクロ無線基地局ＮｏｄｅＢとの間のＳＣＴＰコネクションの状態を監視するように構成されている。
【００３２】
具体的には、ＳＣＴＰコネクション監視部１２は、ＳＣＴＰコネクション（第１制御信号コネクション）を介して、定期的に、マクロ無線基地局ＮｏｄｅＢに対して、「（ＳＣＴＰ）ＨＥＡＲＴＢＥＡＴ（第１監視信号）」を送信し、かかる「（ＳＣＴＰ）ＨＥＡＲＴＢＥＡＴ」に対する「（ＳＣＴＰ）ＨＥＡＲＴＢＥＡＴ  ＡＣＫ」を受信するか否かによって、マクロ無線基地局ＮｏｄｅＢとの間のＳＣＴＰコネクションが確立されているか否かについて判定する。
【００３３】
同様に、ＳＣＴＰコネクション監視部１２は、ＳＣＴＰコネクション（第２制御信号コネクション）を介して、ホーム無線基地局Ｈｏｍｅ  ＮｏｄｅＢとの間のＳＣＴＰコネクションの状態を監視するように構成されている。
【００３４】
具体的には、ＳＣＴＰコネクション監視部１２は、ＳＣＴＰコネクション（第２制御信号コネクション）を介して、定期的に、ホーム無線基地局Ｈｏｍｅ  ＮｏｄｅＢに対して、「（ＳＣＴＰ）ＨＥＡＲＴＢＥＡＴ（第２監視信号）」を送信し、かかる「（ＳＣＴＰ）ＨＥＡＲＴＢＥＡＴ」に対する「（ＳＣＴＰ）ＨＥＡＲＴＢＥＡＴ  ＡＣＫ」を受信するか否かによって、ホーム無線基地局Ｈｏｍｅ  ＮｏｄｅＢとの間のＳＣＴＰコネクションが確立されているか否かについて判定する。
【００３５】
ここで、所定期間において、マクロ無線基地局ＮｏｄｅＢに対して「（ＳＣＴＰ）ＨＥＡＲＴＢＥＡＴ」が送信される回数は、ホーム無線基地局Ｈｏｍｅ  ＮｏｄｅＢに対して「（ＳＣＴＰ）ＨＥＡＲＴＢＥＡＴ」が送信される回数よりも多いように構成されていてもよい。
【００３６】
ホーム無線基地局Ｈｏｍｅ  ＮｏｄｅＢに対する状態管理は、マクロ無線基地局ＮｏｄｅＢに対する状態管理ほど、厳密に行わなくてもよいと判断される可能性が高いため、ＳＣＴＰコネクション監視部１２は、このように構成されていてもよい。
【００３７】
なお、ＳＣＴＰコネクション監視部１２は、無線基地局情報管理部１１によって管理されている当該上位ノード配下の無線基地局に係る情報を参照して、各ＳＣＴＰコネクションが「マクロ無線基地局ＮｏｄｅＢ」或いは「ホーム無線基地局Ｈｏｍｅ  ＮｏｄｅＢ」のいずれとの間で確立されたものであるのか判断することができるように構成されている。
【００３８】
ＳＣＴＰコネクション確立部１３は、マクロ無線基地局ＮｏｄｅＢとの間で、ＳＣＴＰコネクションが確立されていないことを検知した場合、かかるマクロ無線基地局ＮｏｄｅＢに対して、「（ＳＣＴＰ）ＩＮＩＴ（第１制御信号用コネクション確立要求）」を送信するように構成されている。
【００３９】
ただし、ＳＣＴＰコネクション確立部１３は、ホーム無線基地局Ｈｏｍｅ  ＮｏｄｅＢとの間で、ＳＣＴＰコネクションが確立されていないことを検知した場合には、かかるホーム無線基地局Ｈｏｍｅ  ＮｏｄｅＢに対して、「（ＳＣＴＰ）ＩＮＩＴ（第２制御信号用コネクション確立要求）」を送信しないように構成されている。
【００４０】
なお、ＳＣＴＰコネクション確立部１３は、ホーム無線基地局Ｈｏｍｅ  ＮｏｄｅＢから送信された「（ＳＣＴＰ）ＩＮＩＴ（第２制御信号用コネクション確立要求）」に応じて、「（ＳＣＴＰ）ＩＮＩＴ  ＡＣＫ」を返信し、ホーム無線基地局Ｈｏｍｅ  ＮｏｄｅＢから送信された「（ＳＣＴＰ）ＣＯＯＫＩＥ  ＥＣＨＯ」に対して、「（ＳＣＴＰ）ＣＯＯＫＩＥ  ＡＣＫ」を送信することによって、ホーム無線基地局Ｈｏｍｅ  ＮｏｄｅＢとの間で、ＳＣＴＰコネクションを確立するように構成されている。
【００４１】
図２に示すように、本実施形態に係るホーム無線基地局Ｈｏｍｅ  ＮｏｄｅＢは、ＳＣＴＰコネクション監視部２１と、ＳＣＴＰコネクション確立部２２と、アクセス制御部２３とを具備している。
【００４２】
ＳＣＴＰコネクション監視部２１は、ＳＣＴＰコネクション（第２制御信号コネクション）を介して、上位ノード（無線制御装置ＲＮＣ又はコアネットワーク装置ＣＮ）との間のＳＣＴＰコネクションの状態を監視するように構成されている。
【００４３】
具体的には、ＳＣＴＰコネクション監視部２１は、ＳＣＴＰコネクション（第２制御信号コネクション）を介して、定期的に、上位ノードに対して、「（ＳＣＴＰ）ＨＥＡＲＴＢＥＡＴ」を送信し、かかる「（ＳＣＴＰ）ＨＥＡＲＴＢＥＡＴ」に対する「（ＳＣＴＰ）ＨＥＡＲＴＢＥＡＴ  ＡＣＫ」を受信するか否かによって、かかる上位ノードとの間のＳＣＴＰコネクションが確立されているか否かについて判定する。
【００４４】
ＳＣＴＰコネクション確立部２２は、上位ノードとの間で、ＳＣＴＰコネクションが確立されていないことを検知した場合、かかる上位ノードに対して、「（ＳＣＴＰ）ＩＮＩＴ（第２制御信号用コネクション確立要求）」を送信するように構成されている。
【００４５】
アクセス制御部２３は、ホーム無線基地局Ｈｏｍｅ  ＮｏｄｅＢに対してアクセス可能な、すなわち、当該ホーム無線基地局Ｈｏｍｅ  ＮｏｄｅＢを経由して無線通信を行うことができる移動局ＵＥを管理するように構成されている。
【００４６】
そして、アクセス制御部２３は、ホーム無線基地局Ｈｏｍｅ  ＮｏｄｅＢに対してアクセス可能な移動局ＵＥに対してのみ、無線通信サービスを提供するように構成されている。
【００４７】
図３に示すように、本実施形態に係るマクロ無線基地局ＮｏｄｅＢは、ＳＣＴＰコネクション監視部３１と、ＳＣＴＰコネクション確立部３２とを具備している。
【００４８】
ＳＣＴＰコネクション監視部３１は、ＳＣＴＰコネクション（第１制御信号コネクション）を介して、上位ノード（無線制御装置ＲＮＣ又はコアネットワーク装置ＣＮ）との間のＳＣＴＰコネクションの状態を監視するように構成されている。
【００４９】
具体的には、ＳＣＴＰコネクション監視部３１は、ＳＣＴＰコネクション（第１制御信号コネクション）を介して、定期的に、上位ノードに対して、「（ＳＣＴＰ）ＨＥＡＲＴＢＥＡＴ」を送信し、かかる「（ＳＣＴＰ）ＨＥＡＲＴＢＥＡＴ」に対する「（ＳＣＴＰ）ＨＥＡＲＴＢＥＡＴ  ＡＣＫ」を受信するか否かによって、かかる上位ノードとの間のＳＣＴＰコネクションが確立されているか否かについて判定する。
【００５０】
ＳＣＴＰコネクション確立部３２は、上位ノードとの間で、ＳＣＴＰコネクションが確立されていないことを検知した場合であっても、かかる上位ノードに対して、「（ＳＣＴＰ）ＩＮＩＴ（第１制御信号用コネクション確立要求）」を送信することなく、かかる上位ノードから送信された「（ＳＣＴＰ）ＩＮＩＴ（第１制御信号用コネクション確立要求）」に応じて、「（ＳＣＴＰ）ＩＮＩＴ  ＡＣＫ」を返信することによって、かかる上位ノードとの間で、ＳＣＴＰコネクションを確立するように構成されている。
【００５１】
（本発明の第１の実施形態に係る移動通信システムの動作）
図４を参照して、本発明の第１の実施形態に係る移動通信システムの動作について説明する。
【００５２】
図４に示すように、ステップＳ１００１において、ホーム無線基地局Ｈｏｍｅ  ＮｏｄｅＢは、「（ＳＣＴＰ）ＨＥＡＲＴＢＥＡＴ」によって、上位ノードとの間で、ＳＣＴＰコネクションが確立されていないことを検知した場合、当該上位ノードに対して、「（ＳＣＴＰ）ＩＮＩＴ」を送信する。
【００５３】
ここで、上位ノードは、ホーム無線基地局Ｈｏｍｅ  ＮｏｄｅＢの間で、ＳＣＴＰコネクションが確立されていないことを検知した場合であっても、当該ホーム無線基地局Ｈｏｍｅ  ＮｏｄｅＢに対して、「（ＳＣＴＰ）ＩＮＩＴ」を送信しない。
【００５４】
ステップＳ１００２において、「（ＳＣＴＰ）ＩＮＩＴ」を受信した上位ノードは、ＳＣＴＰコネクションが確立することができると判断した場合には、ホーム無線基地局Ｈｏｍｅ  ＮｏｄｅＢに対して、「（ＳＣＴＰ）ＩＮＩＴ」を返送する。
【００５５】
ステップＳ１００３において、ホーム無線基地局Ｈｏｍｅ  ＮｏｄｅＢは、上位ノードに対して、認証処理を行うための「（ＳＣＴＰ）ＣＯＯＫＩＥ  ＥＣＨＯ」を送信する。
【００５６】
ステップＳ１００４において、上位ノードは、ホーム無線基地局Ｈｏｍｅ  ＮｏｄｅＢに対して、「（ＳＣＴＰ）ＣＯＯＫＩＥ  ＡＣＫ」を送信する。
【００５７】
ステップＳ１００５において、上位ノードとホーム無線基地局Ｈｏｍｅ  ＮｏｄｅＢとの間で、ＳＣＴＰコネクションが確立される。
【００５８】
ステップＳ１００６Ａにおいて、ホーム無線基地局Ｈｏｍｅ  ＮｏｄｅＢは、上位ノードに対して、監視処理用の「（ＳＣＴＰ）ＨＥＡＲＴＢＥＡＴ」を送信し、ステップＳ１００６Ｂにおいて、当該上位ノードが、ホーム無線基地局Ｈｏｍｅ  ＮｏｄｅＢに対して、「（ＳＣＴＰ）ＨＥＡＲＴＢＥＡＴ  ＡＣＫ」を返送する。
【００５９】
一方、ステップＳ１００７Ａにおいて、上位ノードは、ホーム無線基地局Ｈｏｍｅ  ＮｏｄｅＢに対して、監視処理用の「（ＳＣＴＰ）ＨＥＡＲＴＢＥＡＴ」を送信し、ステップＳ１００７Ｂにおいて、ホーム無線基地局Ｈｏｍｅ  ＮｏｄｅＢが、当該上位ノードに対して、「（ＳＣＴＰ）ＨＥＡＲＴＢＥＡＴ  ＡＣＫ」を返送する。
【００６０】
（本発明の第１の実施形態に係る移動通信システムの作用・効果）
本実施形態に係る移動通信システムによれば、上位ノード（無線制御装置ＲＮＣ又はコアネットワーク装置ＣＮ）が、ホーム無線基地局Ｈｏｍｅ  ＮｏｄｅＢに対しては「（ＳＣＴＰ）ＩＮＩＴ」しないように構成されているため、上位ノードにおける処理負荷の無駄な増加を回避しつつ、効率的に、ＳＣＴＰコネクションを確立することができる。
【００６１】
なお、上述の移動局ＵＥや無線基地局ＮｏｄｅＢ、Ｈｏｍｅ  ＮｏｄｅＢや無線制御装置ＲＮＣやコアネットワーク装置ＣＮの動作は、ハードウェアによって実施されてもよいし、プロセッサによって実行されるソフトウェアモジュールによって実施されてもよいし、両者の組み合わせによって実施されてもよい。
【００６２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮｏｄｅＢや無線制御装置ＲＮＣ内に設けられていてもよい。また、かかる記憶媒体及びプロセッサは、ディスクリートコンポーネントとして移動局ＵＥや無線基地局ＮｏｄｅＢ、Ｈｏｍｅ  ＮｏｄｅＢや無線制御装置ＲＮＣやコアネットワーク装置ＣＮ内に設けられていてもよい。
【００６４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００６５】
【図２】本発明の第１の実施形態に係るホーム無線基地局Ｈｏｍｅ  ＮｏｄｅＢの機能ブロック図である。
【図３】本発明の第１の実施形態に係るマクロ無線基地局ＮｏｄｅＢの機能ブロック図である。
【符号の説明】
【００６６】
ＣＮ…コアネットワーク装置
ＲＮＣ…無線制御装置
１１…無線基地局情報管理部
１２、２１、３１…ＳＣＴＰコネクション監視部
１３、２２、３２…ＳＣＴＰコネクション確立部
ＮｏｄｅＢ…マクロ無線基地局
Ｈｏｍｅ  ＮｏｄｅＢ…ホーム無線基地局
２３…アクセス制御部
【図１】
0005039592.tif 000002
【図２】
0005039592.tif 000003
【図３】
0005039592.tif 000004
【図４】
0005039592.tif 000005
【図５】
0005039592.tif 000006
【図６】
0005039592.tif 000007
【図７】
0005039592.tif 000008
【図８】
0005039592.tif 000009
【図９】
0005039592.tif 000010